(57)【特許請求の範囲】
【請求項１】
原稿の画像情報を読み取るために原稿画像を１次元的撮像素子に結像させる読取レンズであって、拡大側から順に、正の近軸パワーを有する第１群と、負の近軸パワーを有する第２群と、正の近軸パワーを有する第３群と、負の近軸パワーを有する第４群と、で構成され、全系を構成するレンズ枚数が４枚であり、アナモフィック非球面を少なくとも１面有するレンズを前記第４群中に有し、前記第１群中の正レンズが、少なくとも１面の非球面を有し、かつ、以下の条件式(1)及び(2)を満足し、前記アナモフィック非球面を有するレンズがプラスチック材料から成り、それ以外のレンズがガラス材料から成り、以下の条件式(3)を満足することを特徴とする読取レンズ；
νd＞62  …(1)
θgf＞-0.0016×νd＋0.6415  …(2)
0.05＜｜φpla｜／｜φtotal｜＜0.3  …(3)
ただし、
νd：アッベ数、
θgf：部分分散比であり、部分分散比θgfは式：θgf＝(Ng-NF)／(NF-NC)で表され、
Ng：ｇ線に対する屈折率、
NF：Ｆ線に対する屈折率、
NC：Ｃ線に対する屈折率、
φpla：アナモフィック非球面を有するプラスチックレンズのパワー、
φtotal：読取レンズ全系のパワー、
である。
【請求項２】
さらに前記第２群と前記第３群との間に開口絞りを有することを特徴とする請求項１記載の読取レンズ。
【請求項３】
さらに前記第１群と前記第２群との間に開口絞りを有することを特徴とする請求項１記載の読取レンズ。
【請求項４】
前記第３群中の正レンズが、以下の条件式(4)及び(5)を満足することを特徴とする請求項１〜３のいずれか１項に記載の読取レンズ；
νd＞62  …(4)
θgf＞-0.0016×νd＋0.6415  …(5)
ただし、
νd：アッベ数、
θgf：部分分散比であり、部分分散比θgfは式：θgf＝(Ng-NF)／(NF-NC)で表され、
Ng：ｇ線に対する屈折率、
NF：Ｆ線に対する屈折率、
NC：Ｃ線に対する屈折率、
である。
【請求項５】
前記第３群中の正レンズが、少なくとも１面の非球面を有することを特徴とする請求項４記載の読取レンズ。
【請求項６】
原稿を照明する照明装置と、その照明装置で照明された原稿の画像を結像させる請求項１〜５のいずれか１項に記載の読取レンズと、その読取レンズにより形成された光学像を電気的な信号に変換する前記１次元的撮像素子と、を備えたことを特徴とする画像読取装置。
【発明の詳細な説明】
【技術分野】
【０００１】
本発明は読取レンズと画像読取装置に関するものであり、例えば、ラインＣＣＤ(Charge Coupled Device)等の１次元的撮像素子を備えた画像読取装置(特にスキャナ，デジタル複写機，ファクシミリ等に用いられるユニットスキャン方式の画像読取装置)と、それに好適な読取レンズに関するものである。
【背景技術】
【０００２】
従来より、スキャナ，デジタル複写機等に搭載される画像読取装置用の原稿読取レンズとして、球面系をベースとしたタイプ(ガウスタイプ，オルソメタタイプ，クセノタータイプ等)が広く採用されている。しかし、近年の画像読取装置に対する高密度化，高速化，小型化等の要求に伴って、読取レンズにも、高性能化，広画角化の要求が高まってきている。特にＡ４領域で主流のユニットスキャン方式のカラー画像読取装置においては、高性能を維持したままユニット自体を小型化する必要があり、そのためには微小画素ピッチの小型センサを用い、光学系の縮率(投影倍率)を大きく設定し、かつ、物像間距離を短く設定する必要がある。それに伴って、カラー対応・広画角対応で高解像度の読取レンズが必要となっている。これを実現するため、例えば特許文献１，２では、１／９倍程度の縮率のレンズ系において、レンズ系の一部にアナモフィック非球面を採用し、広画角でも周辺の収差を効果的に補正する技術が提案されている。
【特許文献１】特開２００１−１０００９５号公報
【特許文献２】特開２００２−２１４５２８号公報
【発明の開示】
【発明が解決しようとする課題】
【０００３】
上記特許文献１，２記載の従来技術においては、アナモフィック非球面レンズを採用することで、確かに単色収差について良好に補正がなされているが、軸上色収差の補正は十分とは言いがたい。縮率の大きなレンズ系においては、原稿側での所望の空間周波数に対応するＭＴＦ(modulation transfer function)性能を確保するために、縮小側では、より高い空間周波数に対してＭＴＦ性能を確保する必要がある。しかし、一般に空間周波数が高くなると、光学系が実現可能な回折限界レベル自体が低下してくる。そのため、このようなレンズ系においては、単に単色の収差を補正するだけでは原稿側で所望のＭＴＦ性能を確保するのが困難になるので、色収差も限りなく補正しておく必要がある。
【０００４】
本発明はこのような状況に鑑みてなされたものであって、その目的は、投影倍率−１／９×程度のカラー対応・広画角対応で高ＭＴＦを確保できる読取レンズと、それを用いた画像読取装置を提供することにある。
【課題を解決するための手段】
【０００５】
上記目的を達成するために、第１の発明の読取レンズは、原稿の画像情報を読み取るために原稿画像を１次元的撮像素子に結像させる読取レンズであって、拡大側から順に、正の近軸パワーを有する第１群と、負の近軸パワーを有する第２群と、正の近軸パワーを有する第３群と、負の近軸パワーを有する第４群と、で構成され、全系を構成するレンズ枚数が４枚であり、アナモフィック非球面を少なくとも１面有するレンズを前記第４群中に有し、前記第１群中の正レンズが、少なくとも１面の非球面を有し、かつ、以下の条件式(1)及び(2)を満足し、前記アナモフィック非球面を有するレンズがプラスチック材料から成り、それ以外のレンズがガラス材料から成り、以下の条件式(3)を満足することを特徴とする。
νd＞62  …(1)
θgf＞-0.0016×νd＋0.6415  …(2)
0.05＜｜φpla｜／｜φtotal｜＜0.3  …(3)
ただし、
νd：アッベ数、
θgf：部分分散比であり、部分分散比θgfは式：θgf＝(Ng-NF)／(NF-NC)で表され、
Ng：ｇ線に対する屈折率、
NF：Ｆ線に対する屈折率、
NC：Ｃ線に対する屈折率、
φpla：アナモフィック非球面を有するプラスチックレンズのパワー、
φtotal：読取レンズ全系のパワー、
である。
【０００６】
第２の発明の読取レンズは、上記第１の発明において、さらに前記第２群と前記第３群との間に開口絞りを有することを特徴とする。
【０００７】
第３の発明の読取レンズは、上記第１の発明において、さらに前記第１群と前記第２群との間に開口絞りを有することを特徴とする。
【０００９】
第４の発明の読取レンズは、上記第１〜第３のいずれか１つの発明において、前記第３群中の正レンズが、以下の条件式(4)及び(5)を満足することを特徴とする。
νd＞62  …(4)
θgf＞-0.0016×νd＋0.6415  …(5)
ただし、
νd：アッベ数、
θgf：部分分散比であり、部分分散比θgfは式：θgf＝(Ng-NF)／(NF-NC)で表され、
Ng：ｇ線に対する屈折率、
NF：Ｆ線に対する屈折率、
NC：Ｃ線に対する屈折率、
である。
【００１０】
第５の発明の読取レンズは、上記第４の発明において、前記第３群中の正レンズが、少なくとも１面の非球面を有することを特徴とする。
【００１２】
第６の発明の画像読取装置は、原稿を照明する照明装置と、その照明装置で照明された原稿の画像を結像させる上記第１〜第５のいずれか１つの発明に係る読取レンズと、その読取レンズにより形成された光学像を電気的な信号に変換する前記１次元的撮像素子と、を備えたことを特徴とする。
【発明の効果】
【００１３】
本発明によれば、少ないレンズ枚数で、広い波長域にわたり効果的に色消し(つまり軸上色収差の補正)を行うことが可能である。また、軸外収差を効果的に補正することができ、結果として、広画角において高ＭＴＦを確保できる。したがって、投影倍率−１／９×程度のカラー対応・広画角対応の読取レンズにおいて、高ＭＴＦを確保することが可能である。
【発明を実施するための最良の形態】
【００１４】
以下、本発明に係る読取レンズ，画像読取装置等を、図面を参照しつつ説明する。本発明に係る読取レンズは、原稿の画像情報を読み取るために原稿画像を１次元的撮像素子に結像させる読取レンズであって、拡大側から順に、正の近軸パワーを有する第１群と、負の近軸パワーを有する第２群と、正の近軸パワーを有する第３群と、負の近軸パワーを有する第４群と、で構成されており、アナモフィック非球面を少なくとも１面有するレンズを前記第４群中に有している。また、前記第１群中の正レンズが、少なくとも１面の非球面を有し、かつ、以下の条件式(1)及び(2)を満足することを特徴としている。
νd＞62  …(1)
θgf＞-0.0016×νd＋0.6415  …(2)
ただし、
νd：アッベ数、
θgf：部分分散比であり、部分分散比θgfは式：θgf＝(Ng-NF)／(NF-NC)で表され、
Ng：ｇ線に対する屈折率、
NF：Ｆ線に対する屈折率、
NC：Ｃ線に対する屈折率、
である。
【００１５】
上記のように、最終群にアナモフィック非球面を配置することが好ましい。アナモフィック非球面を最終群に配置すれば、各像高の光束が比較的分離している位置で、像高ごとのパワーを効果的にコントロールすることができる。したがって、広画角でも比較的弱いパワーで像面湾曲の補正を行うことが容易になる。弱いパワーで構成できるということには、配置誤差が発生しても性能劣化を起こしにくくなるというメリットもある。
【００１６】
上記のように、第１群中の正レンズが所望の材料条件を満足すること、つまり条件式(1)及び(2)を満足することが好ましい。広域の軸上色収差補正を効果的に行うには、強いパワーを有する正レンズに前記条件式(1)及び(2)を満足する材料を用いるのが良い。本発明に係る読取レンズにおいては、第１群中の正レンズのパワーが比較的強くなるため、条件式(1)及び(2)を満足することにより、広域の軸上色収差補正が容易になる。条件式(1)及び(2)を外れると、広域の軸上色収差量が増大し、軸上色収差の影響でＭＴＦ性能が劣化してしまう。
【００１７】
上記のように、第１群中の正レンズが少なくとも１面の非球面を有することが好ましい。前記条件式(1)及び(2)を満足する材料は、一般に屈折率が低い領域にある。そのレンズを比較的パワーの強い群に配置した場合、レンズの曲率が強くなりすぎてしまう。その結果、球面収差をはじめとする諸収差の補正が困難になってくる。そこで、第１群中の正レンズに非球面を配置することにより自由度を増やせば、レンズ枚数を増やすことなく、効率良く収差を補正することが容易になる。
【００１８】
以上説明した特徴的な構成により、少ないレンズ枚数で、広い波長域にわたり効果的に色消し(つまり軸上色収差の補正)を行うことが可能となる。また、軸外収差を効果的に補正することができ、結果として、広画角において高ＭＴＦを確保できる。したがって、投影倍率−１／９×程度のカラー対応・広画角対応の読取レンズにおいて、高ＭＴＦを確保することが可能となる。これらの効果をバランス良く得るとともに、更に高い光学性能等を達成するための条件等を以下に説明する。
【００１９】
本発明に係る読取レンズにおいてレンズ枚数を削減しようとすると、第１群だけでなく、第３群の正レンズのパワーも強くなってくる。したがって、第３群中の正レンズに関しても、前記と同様の条件を満足する材料を用いることが好ましい。つまり、前記第３群中の正レンズが、以下の条件式(4)及び(5)を満足することが好ましい。さらに、第３群中の正レンズも、第１群中の正レンズと同様、少なくとも１面の非球面を有することが好ましい。
νd＞62  …(4)
θgf＞-0.0016×νd＋0.6415  …(5)
ただし、
νd：アッベ数、
θgf：部分分散比であり、部分分散比θgfは式：θgf＝(Ng-NF)／(NF-NC)で表され、
Ng：ｇ線に対する屈折率、
NF：Ｆ線に対する屈折率、
NC：Ｃ線に対する屈折率、
である。
【００２０】
第２群と第３群との間に開口絞りを有するか、あるいは、第１群と第２群との間に開口絞りを有することが望ましい。開口絞りを第１群と第２群との間又は第２群と第３群との間に配置することにより、レンズ系の小型化と収差補正とのバランスを良好にすることが可能となる。つまり、開口絞りをレンズ系の中央部に配置することにより、レンズ系自体をバランス良く小型化することが容易になり、歪曲収差，倍率色収差を効果的に補正することが容易になる。
【００２１】
前記アナモフィック非球面を有するレンズがプラスチック材料から成り、それ以外のレンズがガラス材料から成り、以下の条件式(3)を満足することが望ましい。
0.05＜｜φpla｜／｜φtotal｜＜0.3  …(3)
ただし、
φpla：アナモフィック非球面を有するプラスチックレンズのパワー、
φtotal：読取レンズ全系のパワー、
である。
【００２２】
上記のように、アナモフィック非球面を有するレンズは、プラスチック材料(すなわち樹脂材料)で構成されることが製造上好ましい。つまり、アナモフィック非球面レンズは、プラスチックレンズ(すなわち樹脂レンズ)であることが望ましい。アナモフィック非球面レンズを実際に製造する場合には、回転対称非球面と同様、モールド成型が一般的に採用される。現時点においては、ガラス材料よりも樹脂材料の方が、安価で精度の良い製造が可能であるが、安易に樹脂材料を用いてしまうと、温度変化時の樹脂材料の特性変化が大きいため、結果として、温度変化時のピント位置の変動が大きくなってしまう。このピントズレを良好に抑えるための条件を規定しているのが、上記条件式(3)である。
【００２３】
条件式(3)は、上記プラスチックレンズのパワーに関する好ましい条件範囲を規定している。条件式(3)の上限を越えると、温度上昇に対してレンズバックを短くする方向にピント移動量が増大してしまう。その結果、読取レンズが搭載される実機の伸びと逆方向に振れてしまい、極端に性能が劣化してしまう。逆に、条件式(3)の下限を越えると、アナモフィック非球面レンズのパワーが小さくなりすぎて、像面湾曲の補正が困難になる。
【００２４】
拡大側から順に、正の近軸パワーを有する第１群と、負の近軸パワーを有する第２群と、正の近軸パワーを有する第３群と、負の近軸パワーを有する第４群と、で構成される読取レンズの具体的なレンズ構成として、各群をレンズ１枚構成とすることが好ましい。つまり、全系を構成するレンズ枚数は４枚であることが好ましい。第１群として前記材料条件を満たす非球面レンズ１枚を用い、最終群である第４群としてアナモフィック非球面レンズ１枚を用いることにより、レンズ枚数を４枚にまで抑えても、高性能化，広画角化等とのバランスをとることが可能である。
【００２５】
次に、読取レンズの第１〜第３の実施の形態を挙げて、その具体的な光学構成を更に詳しく説明する。図１〜図３に、読取レンズＯＰの第１〜第３の実施の形態の光学構成をそれぞれ光学断面で示す。これらの読取レンズＯＰは、原稿の画像情報を読み取るために原稿画像を１次元的撮像素子に結像させる読取レンズであって(ＩＭ：像面)、拡大側から順に、正の近軸パワーを有する第１レンズＬ１と、負の近軸パワーを有する第２レンズＬ２と、正の近軸パワーを有する第３レンズＬ３と、負の近軸パワーを有する第４レンズＬ４と、のレンズ４枚で構成されている。いずれの実施の形態においても、第１レンズＬ１，第２レンズＬ２及び第３レンズＬ３はガラスレンズであり、第４レンズＬ４はプラスチックレンズである(図１〜図３中、プラスチックレンズには符号ｐを付して示す。)。読取レンズＯＰの拡大側には原稿台ガラスＰ１が位置しており、読取レンズＯＰの縮小側には撮像素子(例えばラインＣＣＤ)のカバーガラスＰ２が位置している。
【００２６】
第１の実施の形態(図１)において、第１レンズＬ１は拡大側面が非球面から成る拡大側に凸の正メニスカスレンズであり、第２レンズＬ２は両凹の負レンズであり、第３レンズＬ３は両凸の正レンズであり、第４レンズＬ４は両面がアナモフィック非球面から成る拡大側に凹の負メニスカスレンズであり、第２レンズＬ２と第３レンズＬ３との間には開口絞りＳＴが配置されている。第２の実施の形態(図２)において、第１レンズＬ１は拡大側面が非球面から成る両凸の正レンズであり、第２レンズＬ２は縮小側に凹の負メニスカスレンズであり、第３レンズＬ３は縮小側面が非球面から成る両凸の正レンズであり、第４レンズＬ４は両面がアナモフィック非球面から成る拡大側に凹の負メニスカスレンズであり、第２レンズＬ２と第３レンズＬ３との間には開口絞りＳＴが配置されている。第３の実施の形態(図３)において、第１レンズＬ１は拡大側面が非球面から成る両凸の正レンズであり、第２レンズＬ２は両凹の負レンズであり、第３レンズＬ３は縮小側面が非球面から成る両凸の正レンズであり、第４レンズＬ４は両面がアナモフィック非球面から成る拡大側に凹の負メニスカスレンズであり、第１レンズＬ１と第２レンズＬ２との間には開口絞りＳＴが配置されている。
【００２７】
図１６に、読取レンズＯＰを搭載した画像読取装置の概略構成例を模式的に示す。図１６に示す画像読取装置は、スキャナ，デジタル複写機，ファクシミリ等の機器に用いられる画像読み取り用の光学装置であって、原稿(すなわち物体)を照明する照明ユニット１１と、その照明ユニット１１で照明された原稿の画像を結像させる読取レンズＯＰと、その読取レンズＯＰにより形成された光学像(図１〜図３中の像面ＩＭ)を電気的な信号に変換する１次元的撮像素子から成る３ラインＣＣＤ１２(Ｑ：ＣＣＤ画素配列垂直方向)と、を備えている。
【００２８】
１つのハウジング１４の中に、照明ユニット１１と、反射ミラー１３ａ〜１３ｅと、読取レンズＯＰと、３ラインＣＣＤ１２とが配置されており、そのハウジング１４を一定速度Ｖで走査させることで原稿画像を読み取る構成になっている。更に詳しく説明する。原稿カバー１５と原稿台ガラスＰ１との間に原稿がセットされ、原稿台ガラスＰ１を通して原稿が照明ユニット１１により主走査方向に長く照明される。原稿からの反射光が、反射ミラー１３ａ〜１３ｅによる光路の折り曲げと、ハウジング１４の副走査方向への移動(一定速度Ｖ)により、原稿画像の全面について読取レンズＯＰに導かれる。照明ユニット１１で照明された原稿の画像は、読取レンズＯＰにより３ラインＣＣＤ１２上で結像する。そして、読取レンズＯＰにより形成された光学像ＩＭは、３ラインＣＣＤ１２により電気的な信号に変換される。
【実施例】
【００２９】
以下、本発明を実施した読取レンズの構成等を、コンストラクションデータ等を挙げて更に具体的に説明する。ここで挙げる実施例１〜３は、前述した第１〜第３の実施の形態にそれぞれ対応する数値実施例であり、第１〜第３の実施の形態を表す光学構成図(図１〜図３)は、対応する実施例１〜３のレンズ構成，光路等をそれぞれ示している。
【００３０】
各実施例のコンストラクションデータでは、左側の欄から順に、面番号，曲率半径r(mm)，軸上での面間隔d(mm)，ｄ線に関する屈折率Nd，ｄ線に関するアッベ数νd，光学要素の符号を示す。面番号に*が付された面は非球面(すなわち回転対称非球面)であり、その面頂点を原点とするローカルな直交座標系(x,y,z)を用いた以下の式(AS)で定義される。また、面番号に#が付された面はアナモフィック非球面であり、その面頂点を原点とするローカルな直交座標系(x,y,z)を用いた以下の式(BS)で定義される。各実施例の非球面データ及びアナモフィック非球面データをあわせて示す。ただし、表記の無い項の係数は０であり、すべてのデータに関してE-n=×10-nである。
z＝(c・h2)／[1＋√{1−(1＋k)・c2・h2}]＋A・h4＋B・h6＋C・h8＋D・h10＋E・h12＋F・h14＋G・h16＋H・h18＋J・h20  …(AS)
【００３１】
【数１】
0004957409.tif 000002
…(BS)
【００３２】
ただし、
h：z軸(光軸ＡＸ)に対して垂直な方向の高さ(h2=x2+y2)、
z：高さhの位置での光軸ＡＸ方向のサグ量(面頂点基準)、
c：面頂点での曲率(曲率半径rの逆数)、
k：円錐定数、
A,B,C,D,E,F,G,H,J：それぞれ４次，６次，８次，１０次，１２次，１４次，１６次，１８次，２０次の非球面係数、
Cj：xmynの係数[j={(m+n)2+m+3n}/2+1]、
である。
【００３３】
各光学要素を構成している光学材料の屈折率として、Ｃ線(波長656.28nm)に対する屈折率NC，ｄ線(波長587.56nm)に対する屈折率Nd，ｅ線(波長546.07nm)に対する屈折率Ne，Ｆ線(波長486.13nm)に対する屈折率NF，ｇ線(波長435.84nm)に対する屈折率Ngをそれぞれ示す。各種データとして、ｅ線に関する焦点距離(mm)，Ｆナンバー(有効Ｆナンバー)，投影倍率，読取幅(mm)，物像間距離(mm)を示す。また、表１に各実施例の条件式対応値及び関連データを示す。
【００３４】
図４，図６，図８は、実施例１，２，３にそれぞれ対応する縦収差図であり、各図において左から順に、球面収差図(LONGITUDINAL SPHERICAL ABER.)、非点収差図(ASTIGMATIC FIELD CURVES)、歪曲収差図(DISTORTION)である。球面収差図は、実線で示すＣ線(波長656.2800nm)に対する球面収差量、破線で示すｅ線(波長546.0700nm)に対する球面収差量、一点鎖線で示すｇ線(波長435.8400nm)に対する球面収差量を、それぞれ近軸像面からの光軸ＡＸ方向のズレ量(単位：mm，横軸スケール：-0.200〜0.200mm)で表しており、縦軸は瞳への入射高さをその最大高さで規格化した値(すなわち相対瞳高さ)を表している。非点収差図において、二点鎖線Ｙ１，Ｙ２，Ｙ３はＣ線，ｅ線，ｇ線に対するタンジェンシャル像面、実線Ｘ１，破線Ｘ２，一点鎖線Ｘ３はＣ線，ｅ線，ｇ線に対するサジタル像面を、近軸像面からの光軸ＡＸ方向のズレ量(単位：mm，横軸スケール：-0.200〜0.200mm)で表しており、縦軸は物高(OBJ HT，単位：mm，縦軸スケール：0〜-110.00mm)を表している。歪曲収差図において、横軸はＣ線(実線)，ｅ線(破線)，ｇ線(一点鎖線)に対する歪曲(単位：％，横軸スケール：-0.100〜0.100％)をそれぞれ表しており、縦軸は物高(OBJ HT，単位：mm，縦軸スケール：0〜-110.00mm)を表している。
【００３５】
図５，図７，図９は、実施例１，２，３にそれぞれ対応する横収差図である。各横収差図において、左の列(Y-FAN)はタンジェンシャル光束での横収差図であり、右の列(X-FAN)はサジタル光束での横収差図である。実線はＣ線に対する横収差、破線はｅ線に対する横収差、一点鎖線はｇ線に対する横収差をそれぞれ表している。各横収差図は、各図中に(X,Y)でのRELATIVE FIELDで表されている像高比(半画角ω°)での横収差(mm)を示している。なお像高比は、像高y'を最大像高y'maxで規格化した相対的な像高である(y'maxはOBJ HT=-110.00mmに対応する。)。
【００３６】
図１０，図１２，図１４は、実施例１，２，３にそれぞれ対応する倍率色収差図であり、図１１，図１３，図１５は、実施例１，２，３にそれぞれ対応する軸上色収差図である。倍率色収差図では、Ｃ線(実線)，ｅ線(破線)，ｇ線(一点鎖線)に対する倍率色収差(Lateral Color)を各像高y'についてそれぞれ示しており、軸上色収差図では、波長(nm)に対するバックフォーカスの差(LB)で軸上色収差を示している。
【００３７】
各実施例の読取レンズＯＰを搭載した画像読取装置のスペックの一例を以下に挙げる。
レンズ構成      ：Ｌ１…正のガラスレンズ，Ｌ２…負のガラスレンズ，
Ｌ３…正のガラスレンズ，Ｌ４…負のプラスチックレンズ
ＣＣＤ画素ピッチ：４．７μｍの３ラインＣＣＤ
読取倍率        ：−０．１１１０２３６(６００dpi対応)
読取原稿幅      ：Ａ４短辺幅相当(２２０ｍｍ)
有効Ｆナンバー  ：５．１〜５．４
【００３８】
実施例１
単位：mm
面データ
面番号   r         d          Nd        νd     光学要素
1       ∞       3.000     1.516330    64.1       P1
2       ∞       任意
3*    11.772     6.16      1.487490    70.2       L1
4     82.262     0.37
5   -205.709     1.20      1.672700    32.1       L2
6     11.641     0.25
7(ST)   ∞       0.42
8     16.423     3.77      1.620411    60.3       L3
9    -13.001    10.50
10#    -8.981     1.89      1.530481    55.7       L4
11#   -11.858     4.24
12       ∞       0.70      1.516330    64.1       P2
13       ∞       0.20
像面     ∞
【００３９】
非球面データ
第3面
k= 1.06872E-01,
A=-1.24788E-04,B=-1.79013E-06,C=-1.66988E-08,D=-1.42092E-10,E〜J= 0
【００４０】
アナモフィック非球面データ
第10面
k= 0,
C11= 1.28086E-03,C13= 1.70744E-03,C15=-1.19089E-04,
C24= 3.67969E-05,C26=-9.48176E-06,C28= 6.32189E-06,
C45=-1.34463E-08
第11面
k= 0,
C11= 2.25202E-03,C13= 2.53146E-03,C15=-1.05488E-04,
C24= 2.11777E-05,C26=-1.80646E-05,C28= 4.34998E-06,
C45=-1.82761E-08
【００４１】
光学材料の屈折率
光学要素  NC         Nd         Ne         NF         Ng
656.28nm   587.56nm   546.07nm   486.13nm   435.84nm
P1,P2   1.513855   1.516330   1.518251   1.521905   1.526213
L1    1.485344   1.487490   1.489147   1.492285   1.495963
L2    1.666606   1.672700   1.677651   1.687564   1.700113
L3    1.617275   1.620411   1.622865   1.627566   1.633149
L4    1.527670   1.530481   1.532747   1.537194   1.542587
【００４２】
各種データ
焦点距離      ：20.25mm(ｅ線)
Ｆナンバー(有効Ｆナンバー)：4.4(5.0)
投影倍率      ：-0.1110236
読取幅        ：220mm
物像間距離    ：230mm
【００４３】
実施例２
単位：mm
面データ
面番号   r         d          Nd        νd     光学要素
1       ∞       3.000     1.516330    64.1       P1
2       ∞       任意
3*    10.168     1.89      1.496999    81.5       L1
4    -70.728     1.28
5    137.513     1.28      1.613397    44.3       L2
6      7.682     0.31
7(ST)   ∞       0.79
8     26.140     3.73      1.496999    81.5       L3
9*    -9.135    11.75
10#    -9.381     1.20      1.530481    55.7       L4
11#   -12.563     4.50
12       ∞       0.70      1.516330    64.1       P2
13       ∞       0.20
像面     ∞
【００４４】
非球面データ
第3面
k= 2.89484E-01,
A=-2.93660E-04,B=-6.77606E-06,C= 5.87705E-08,D=-1.15787E-09,E〜J= 0
第9面
k= 0,
A=-1.69524E-04,B=-7.63377E-06,C= 2.77286E-08,D=-1.01430E-08,E〜J= 0
【００４５】
アナモフィック非球面データ
第10面
k= 0,
C11= 1.31506E-03,C13= 7.48593E-04,C15=-1.83721E-04,
C24= 2.74108E-04,C26= 1.22878E-05,C28=-3.17911E-07,
C41=-4.52046E-06,C43=-1.66336E-07,C45= 3.07368E-08
第11面
k= 0,
C11= 2.00034E-03,C13= 1.48719E-03,C15=-1.88745E-04,
C24= 2.59406E-04,C26= 2.14924E-06,C28= 9.33438E-07,
C41=-3.54122E-06,C43=-1.21526E-07,C45= 6.07494E-09
【００４６】
光学材料の屈折率
光学要素  NC         Nd         Ne         NF         Ng
656.28nm   587.56nm   546.07nm   486.13nm   435.84nm
P1,P2   1.513855   1.516330   1.518251   1.521905   1.526213
L1    1.495136   1.496999   1.498455   1.501231   1.504506
L2    1.609248   1.613397   1.616690   1.623105   1.630910
L3    1.495136   1.496999   1.498455   1.501231   1.504506
L4    1.527670   1.530481   1.532747   1.537194   1.542587
【００４７】
各種データ
焦点距離      ：20.27mm(ｅ線)
Ｆナンバー(有効Ｆナンバー)：4.8(5.4)
投影倍率      ：-0.1110236
読取幅        ：220mm
物像間距離    ：230mm
【００４８】
実施例３
単位：mm
面データ
面番号   r         d          Nd        νd     光学要素
1       ∞       3.000     1.516330    64.1       P1
2       ∞       任意
3*     9.845     3.07      1.496999    81.5       L1
4    -94.337     1.28
5(ST)   ∞       0.20
6    -25.104     1.88      1.672700    32.1       L2
7     65.229     0.80
8    178.392     4.82      1.496999    81.5       L3
9*   -12.751     8.78
10#   -10.644     1.96      1.530481    55.7       L4
11#   -13.781     4.50
12       ∞       0.70      1.516330    64.1       P2
13       ∞       0.20
像面     ∞
【００４９】
非球面データ
第3面
k=-6.92516E-02,
A=-4.19061E-05,B= 1.51518E-06,C=-8.16996E-08,D= 1.38360E-09,E〜J= 0
第9面
k= 2.21936E+00,
A= 3.64424E-04,B= 3.65646E-06,C= 2.11184E-07,D=-2.16160E-09,E〜J= 0
【００５０】
アナモフィック非球面データ
第10面
k= 0,
C11=-5.40557E-03,C13= 1.72839E-03,C15= 4.76815E-05,
C24= 3.56013E-04,C26=-9.25594E-06,C28=-5.95264E-07,
C41=-3.83571E-06,C43= 1.39549E-07,C45= 2.34604E-08
第11面
k= 0,
C11=-8.81589E-03,C13= 2.43696E-03,C15=-2.98954E-05,
C24= 4.44867E-04,C26=-1.36693E-05,C28=-3.14143E-07,
C41=-3.67858E-06,C43= 7.84118E-08,C45= 3.31286E-09
【００５１】
光学材料の屈折率
光学要素  NC         Nd         Ne         NF         Ng
656.28nm   587.56nm   546.07nm   486.13nm   435.84nm
P1,P2   1.513855   1.516330   1.518251   1.521905   1.526213
L1    1.495136   1.496999   1.498455   1.501231   1.504506
L2    1.666606   1.672700   1.677651   1.687564   1.700113
L3    1.495136   1.496999   1.498455   1.501231   1.504506
L4    1.527670   1.530481   1.532747   1.537194   1.542587
【００５２】
各種データ
焦点距離      ：20.35mm(ｅ線)
Ｆナンバー(有効Ｆナンバー)：4.8(5.4)
投影倍率      ：-0.1110236
読取幅        ：220mm
物像間距離    ：230mm
【００５３】
【表１】
0004957409.tif 000003
【図面の簡単な説明】
【００５４】
【図１】第１の実施の形態(実施例１)の光路図。
【図２】第２の実施の形態(実施例２)の光路図。
【図３】第３の実施の形態(実施例３)の光路図。
【図４】実施例１の縦収差図。
【図５】実施例１の横収差図。
【図６】実施例２の縦収差図。
【図７】実施例２の横収差図。
【図８】実施例３の縦収差図。
【図９】実施例３の横収差図。
【図１０】実施例１の倍率色収差図。
【図１１】実施例１の軸上色収差図。
【図１２】実施例２の倍率色収差図。
【図１３】実施例２の軸上色収差図。
【図１４】実施例３の倍率色収差図。
【図１５】実施例３の軸上色収差図。
【図１６】画像読取装置の概略構成例を模式的に示す概略図。
【符号の説明】
【００５５】
Ｐ１    原稿台ガラス
Ｐ２    カバーガラス
ＯＰ    読取レンズ
Ｌ１    第１レンズ(第１群，正レンズ)
Ｌ２    第２レンズ(第２群)
Ｌ３    第３レンズ(第３群，正レンズ)
Ｌ４    第４レンズ(第４群)
ＳＴ    開口絞り
ＩＭ    像面(光学像)
１１    照明ユニット(照明装置)
１２    ３ラインＣＣＤ(１次元的撮像素子)
１３ａ，１３ｂ，１３ｃ，１３ｄ，１３ｅ    反射ミラー
１４    ハウジング
１５    原稿カバー
ＡＸ    光軸
【図１】
0004957409.tif 000004
【図２】
0004957409.tif 000005
【図３】
0004957409.tif 000006
【図４】
0004957409.tif 000007
【図５】
0004957409.tif 000008
【図６】
0004957409.tif 000009
【図７】
0004957409.tif 000010
【図８】
0004957409.tif 000011
【図９】
0004957409.tif 000012
【図１０】
0004957409.tif 000013
【図１１】
0004957409.tif 000014
【図１２】
0004957409.tif 000015
【図１３】
0004957409.tif 000016
【図１４】
0004957409.tif 000017
【図１５】
0004957409.tif 000018
【図１６】
0004957409.tif 000019